(57)【要約】【課題】  会員カードに防犯機能を付加することで、顧客の緊急時に防犯システムに通報するシステムを提供する。【解決手段】  会員情報を記憶するための会員情報記憶部と、緊急入力部と、緊急入力部の状態を検出する緊急状態検出部と、緊急状態検出部の検出に基づき緊急信号を発生させる信号発生部と、電源部と、を備える会員カード、及び主防犯システムの端末であって、前記会員カードの発する前記緊急信号を受信をもって前記主防犯システムを起動させる端末、を備えてなる防犯システム。【選択図】  図１
2006285776.tif 000002
【特許請求の範囲】
【請求項１】
会員情報を記憶するための会員情報記憶部と、緊急入力部と、緊急入力部の状態を検出する緊急状態検出部と、緊急状態検出部の検出に基づき緊急信号を発生させる信号発生部と、電源部と、を備える会員カード、及び
主防犯システムの端末であって、前記会員カードの発する前記緊急信号の受信をもって前記主防犯システムを起動させる防犯端末、を備えてなる防犯システム。
【請求項２】
前記信号発生部は、音波を発し、前記防犯端末は該音波を受信して前記主防犯システムを起動させる、ことを特徴とする請求項１に記載の防犯システム。
【請求項３】
前記会員カードの前記電源部は充電可能な電池からなり、カードリーダー／ライターから前記電源部に充電させる手段が更に備えられる、ことを特徴とする請求項１または２に記載の防犯システム。
【請求項４】
前記会員カードは、入力解除部と、該入力解除部の信号により解除信号を発生させる前記信号発生部を備え、前記防犯端末は前記緊急信号を受信後、前記主防犯システムの起動を一時保留し、一定条件に基づき前記解除信号を受信すると、前記主防犯システムの起動を停止する防犯端末を備える、ことを特徴とする請求項１または２に記載の防犯システム。
【請求項５】
前記会員カードは、前記緊急信号の発生履歴を記憶する記憶部を有する、ことを特徴とする請求項１または２に記載の防犯システム。
【請求項６】
請求項１に記載の防犯システムを用いて、
前記会員カードの前記緊急入力部の状態を前記緊急状態検出部で検出するステップと、前記緊急状態検出部の検出に基づき前記信号発生部から前記緊急信号を発生させるステップと、前記防犯端末は前記会員カードの発する前記緊急信号の受信をもって前記主防犯システムを起動させるステップを実行する制御方法を有する、ことを特徴とする防犯方法。
【発明の詳細な説明】
【技術分野】
【０００１】
この発明は防犯システムに関し、特にカードを適用した防犯システムに関する。
【背景技術】
【０００２】
商店街やショッピングセンター等を訪れる顧客が誘拐や通り魔、盗難等の犯罪に巻き込まれないようにする防衛措置として、商店街周辺等に非常ボタンを設置し、緊急時には顧客がそれを押すことで、警報を鳴らしたり、防犯システムに通報する手段がある（例えば、特許文献１参照）。
【特許文献１】特開２０００−２５１５０２  しかし、緊急時にはすぐに非常ボタンのある場所を探すことが困難な場合もあり、緊急通報手段として有効に機能することができない場合がある。  一方、商店街等に訪れる顧客を定着させる方法として、会員カード等が発行されている。しかし、会員カードの特典である、ポイントサービス、割引サービス等のみでは他商店街との差別化を図りにくいという問題が生じている。
【発明の開示】
【発明が解決しようとする課題】
【０００３】
そこで、緊急時には確実に緊急通報することができ、さらに従来の会員カードの機能に加えて、緊急時に緊急信号を発する機能を付加することにより、他店の会員カードと差別化し、顧客を定着化させることを目的とする。
【課題を解決するための手段】
【０００４】
本発明は上記目的を達成すべくなされたものである。すなわち、
会員情報を記憶するための会員情報記憶部と、緊急入力部と、緊急入力部の状態を検出する緊急状態検出部と、緊急状態検出部の検出に基づき緊急信号を発生させる信号発生部と、電源部と、を備える会員カード、及び主防犯システムの端末であって、前記会員カードの発する前記緊急信号を受信をもって前記主防犯システムを起動させる端末、を備えてなる防犯システムを提供する。
信号発生部は、音波を発し、防犯端末は該音波を受信して主防犯システムを起動させる。会員カードの電源部は充電可能な電源からなり、カードリーダー／ライターから電源部に充電させる手段が更に備えられる。会員カードは、入力解除部と、該入力解除部の信号により解除信号を発生させる信号発生部を備え、防犯端末は緊急信号を受信後、主防犯システムの起動を一時保留し、一定条件に基づき解除信号を受信すると、主防犯システムの起動を停止する防犯端末を備える。前記会員カードは、緊急信号の発生履歴を記憶する記憶部を有する。
会員カードの緊急入力部の状態を緊急状態検出部で検出するステップと、緊急状態検出部の検出に基づき信号発生部から緊急信号を発生させるステップと、防犯端末は会員カードの発する緊急信号の受信をもって主防犯システムを起動させるステップを実行する制御方法を有する。
【発明の効果】
【０００５】
上記構成により、従来の会員カードのようにポイントサービスや割引サービスが行えたうえで、緊急時には会員カードから緊急信号を発し、主防犯システムを起動させることができる。そのため、会員カードを持つ顧客は、会員カードを発行する商店街等を通行するときに、会員カードの利便性を維持しつつ、さらに通行の安全性も確実に確保することができる。
また、このような防犯システムを備えた商店街等は通行の安全を確保できることから集客にも繋がる。すなわち、他商店街と異なる会員カードを発行することによって、他商店街との差別化を図り、顧客を定着させることが期待できる。
【発明を実施するための最良の形態】
【０００６】
以下、この発明の各要素について説明する。
（会員情報記憶部）
会員情報記憶部は、会員カードに記憶される顧客個人の識別情報（ＩＤ情報）と、その顧客が購入した商品の購入履歴、購入金額に応じたポイント情報、割引サービス情報及びそれらの日時等の情報（取引情報）とを記憶する。
ＩＤ情報は会員カードの発行段階で書き込みされ、その後の取引においてはＩＤ情報の書き込みはできない。
取引情報は、商品等の購入時に読込み、書き込みし更新可能である。商品購入時には店舗内に設置されたカードリーダー／ライターにより取引情報を読み込むことが可能であり、顧客の商品購入履歴等を参照できる。また、顧客が商品を購入した際には、購入金額に応じたポイント情報等を書き込み、更新することもできる。
また、いたずらによる主防犯システムへの通報を抑制するため、緊急信号を発した履歴や発した日時を保存させることも可能である。
【０００７】
(緊急入力部、緊急状態検出部)
緊急入力部は、盗難など緊急時に顧客が入力し、緊急信号を発生させるために使用される。緊急入力部の構成としては、押しボタン式、タッチボタン式、スライドスイッチ式等が用いられる。
緊急状態検出部は、顧客の緊急入力部への入力を検出した場合に、信号発生部から緊急信号を発生させるために使用される。
【０００８】
（信号発生部）
顧客の緊急時に、会員カードのスイッチ（緊急入力部）を押下することにより緊急信号（警報音からなる音声信号を含む）を発生することができ、周囲に対して緊急状態を知らせる。また、発せられた緊急信号を店舗周辺に設置された防犯端末が受信して主防犯システムを起動させ、商店街事務所、警備会社及び／又は警察へ通報がなされる。また、防犯端末に内蔵されている警報機能（スピーカー、照明等）も作動し、周囲に対して緊急状態を知らせることとなる。
なお、会員カードから発せられる緊急信号は音声信号に限られず、電波、光波を使用することも可能である。
【０００９】
（電源部）
会員カードは、その内部で会員情報の記憶、信号発生、スイッチ入力の検出等を行うため、電源を持たせる必要がある。電源としては、ボタン電池などの一次電池、スーパーキャパシタなどの蓄電素子やリチウムイオン電池などの二次電池を使用できる。蓄電素子や二次電池の充電方式は接触式又は非接触式により行うことができる。
充電は専用の充電装置を使用すれば家庭内でも可能であるが、商品購入時にカードリーダー／ライターにより充電させることも可能である(図２参照)。
【００１０】
（防犯端末）
会員カードからの緊急信号を受信し、主防犯システムに緊急状態を通報する役割を果たす。また、防犯端末に警報機能（スピーカー、照明等）を持たせ、緊急時には防犯端末から警報機能を作動させることができる。
防犯端末は会員カードを発行する商店街の周辺に設置される。防犯端末と主防犯システムのホストとは、有線（ＬＡＮなど）又は無線(無線ＬＡＮなど)方式により通信可能となっており、設置場所の制限を受ける店舗が密集している商店街にも容易に設置することができる。
【実施例１】
【００１１】
図１に本発明の実施例である防犯システム１０の概略図を示す。防犯システム１０は顧客に発行される会員カード２０、店舗に設置され会員情報を読出し、書き込むためのカードリーダー／ライター３０、会員カード２０から発せられた信号を受信し、警報機能を作動したり、主防犯システムへ通報するための防犯端末５０から構成される。
【００１２】
会員カード２０は、商品購入時に利用されるＩＤ情報記憶部２６a、商品購入時に利用される取引情報記憶部２６bからなる会員情報記憶部２６と、顧客が緊急時に入力する緊急入力部２３と、緊急入力部２３から緊急状態を検出する緊急状態検出部２４、信号発生部２５と、信号発生部２５が発生した信号を拡声するスピーカー２７と、電源部２２から構成され、それぞれはＣＰＵ２１により制御される。
【００１３】
ＩＤ情報記憶部２６aは会員個人の識別情報（氏名、年齢、住所、カード発行番号等の情報）が記憶されている。ＩＤ情報は会員カード発行時に作成され、発行後は書き換えることができない。店舗は商品購入時に会員カード２０からＩＤ情報を出力させることで本人確認を行うことができる。
取引情報記憶部２６bは商品の購入履歴、ポイント情報等の取引データが記憶されている。顧客は商品を購入する際に会員カード２０を提示し、店舗に設置されＰＯＳ端末等と接続されているカードリーダー／ライター３０により取引情報が読み出される(図２参照)。次に、購入商品についての情報（購入商品、取引代金、ポイント情報、日時等）がカードリーダー／ライター３０から取引情報記憶部２６bに書き込まれ、取引情報を更新することとなる。
【００１４】
電源部２２は会員カード２０の持つ各機能を動作させるために必要となる。電源として、乾電池などの一次電池や、スーパーキャパシタなどの蓄電素子、リチウムイオン等の二次電池を使用する。蓄電素子や二次電池の充電方法として不図示の蓄電器から端子を接触させて充電する接触充電や、充電器から充電用電波を発生させ会員カード２０内の不図示のコイルを介して電荷を発生させて充電する非接触充電により充電する。充電器はカードリーダー／ライター３０に備えて、会員カード２０の読み込みや書き込み時に充電することも可能である。
【００１５】
緊急状態検出部２４は、緊急入力部２３の応答に反応して、信号発生部２５から緊急信号（警報音からなる音声信号、可聴周波数でなくても良い）を発生させる。防犯端末５０はこの緊急信号を、不図示の、マイクなどの集音装置と増幅器、特定音域を取り出すフィルタ回路、フィルタ回路からの出力信号検出器等により検出し、主防犯システムは通報することとなる(図３参照)。
【００１６】
防犯端末５０は会員カード２０を発行する商店街等の周辺、例えば外灯などに一つ以上設置される。会員カードから発せられた音声信号を受信し、緊急信号を主防犯システムへと通報する。この緊急信号を受けた主防犯システムは、警察、警備会社又は当該商店街へ連絡する。
【００１７】
以上のように、会員カードに防犯機能を持たせることにより、顧客は安全に商店街を通行できることとなる。
【実施例２】
【００１８】
図４に本発明の他の実施例である防犯システム１００の概略図を示す。図１と同一の要素には同一の符号を付し、その説明を省略する。
会員カード２００に新たに入力解除部２８０を追加した。不図示のスイッチ等からなる入力解除により、入力解除部２８０は信号発生部２５からの緊急信号の発生を中止する。これにより、会員カード２００から解除信号(無信号)を発することが可能となり、誤って緊急入力された信号を一定条件（所定の時間内）のもとで解除することが可能となる。
防犯端末５００には会員カード２００から発せられる緊急信号を受信後、主防犯システムへの信号を一時保留し、解除信号を一定条件(所定の時間内)のもとで受信すると、警報音の発生や主防犯システムへの信号を、解除や停止させる機能を持たせている。
【００１９】
防犯端末５００は、会員カード２００からの緊急信号を受信する信号受信部５１０、防犯端末５００を点灯させ、警報音を発生させる照明及びスピーカー５２０、主防犯システムへ通報するかを判断するための緊急信号受信時にＯＮし解除信号受信時にＯＦＦするタイマー５３０、所定の時間を経過した段階でタイマー５３０からの信号を受信し、一時保留していた主防犯システムへの緊急信号を通報するための緊急信号通報部５４０から構成される。
【００２０】
図５は緊急入力した後に、解除する場合のフローチャートを示す。顧客が緊急状態に陥った場合、会員カード２００の緊急入力部２３のスイッチを押下し（Ｓ１、Ｓ２）、緊急信号を発する（Ｓ３）。その緊急信号を防犯端末５００が受信し、防犯端末５００の照明及びスピーカー５２０を動作させる。それと同時にタイマー５３０もオンされ、カウントが始まる。タイマー５３０は所定の時間に設定することができ、その設定時間内であれば、誤入力を解除させることができる。設定時間経過した場合は、主防犯システムへと緊急信号を通報することとなる。
誤入力が生じた場合は、入力解除部２８０のスイッチを押し（Ｓ７）、会員カード２００の信号発生部２５から解除信号を送信する（Ｓ８）。解除信号を受信した防犯端末５００はタイマー５３０の進行を停止させる（Ｓ９）。これにより、タイマー５３０から緊急信号通報部５４０への信号が停止されるため、主防犯システムへの通報も停止させることとなる。
一方、タイマー５３０が所定の設定時間を経過した後は主防犯システムへと緊急信号を通報することとなる（Ｓ６）。
また、会員カード２００では、緊急信号の発生や解除信号の発生は、不図示の日時計によりその発生日時と共に、不図示の記憶部に記憶され、これらの履歴情報はカードリーダー／ライター３０で読み出すことができるため、いたずらで使用したかがわかり、不正な使用を抑止することができる。
【００２１】
以上のように、誤入力による緊急信号を送信した場合でも、一定条件のもとで解除することができる。そのため、主防犯システムへの無駄な通報を低減させることができ、円滑に防犯システムを運営することが可能となる。
【００２２】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【００２３】
【図１】図１は実施例１で使用する防犯システムの概略図である。
【図２】図２は店舗内で会員カードを使用する際の図である。
【図３】図３は商店街周辺で会員カードから緊急信号を発する場合の図である。
【図４】図４は実施例２で使用する防犯システムの概略図である。
【図５】図５は実施例２において緊急信号を解除する場合のフローチャートである。
【符号の説明】
【００２４】
１０、１００  防犯システム
２０、２００  会員カード
２２  電源部
２３  緊急入力部
２４  緊急状態検出部
２５  信号発生部
２６  会員情報記憶部
３０  カードリーダー／ライター
４０  電源供給装置
５０、５００  防犯端末
【図１】
2006285776.tif 000003
【図２】
2006285776.tif 000004
【図３】
2006285776.tif 000005
【図４】
2006285776.tif 000006
【図５】
2006285776.tif 000007